【手続補正書】
【提出日】平成19年5月23日(2007.5.23)
【手続補正１】
【補正対象書類名】明細書
【補正対象項目名】特許請求の範囲
【補正方法】変更
【補正の内容】
【特許請求の範囲】
【請求項１】
第一の分割ブレード（１４）を含む第一の分割装置（１２）および第二の分割ブレード（２４）を含む対向する第二の分割装置（２２）を備え、前記第一の分割装置および第二の分割装置の動作中に、これらの分割装置がコンクリートの加工品（４０）を少なくとも２片に分割して、前記加工品から少なくとも１片（４２，４４）のコンクリートブロックを作成するためのメーソンリーブロック分割器（１０）において、
前記第一の分割装置（１２）は、前記第一の分割装置上の、前記第一の分割ブレード（１４）の少なくとも一方の側に隣接した位置に配置されて、前記第一の分割装置（１２）の動作中に、前記コンクリートの前記第一の分割ブレードに隣接した部分を侵食する複数の突起部（１６，１６’）を有し、
前記第二の分割装置（２２）は、前記第二の分割装置上の、前記第二の分割ブレード（２４）の少なくとも一方の側に隣接した位置に配置されて、前記第二の分割装置（２２）の動作中に、前記コンクリートの前記第二の分割ブレードに隣接した部分を侵食する複数の突起部（２６）を有する
ことを特徴とするメーソンリーブロック分割器（１０）。
【請求項２】
前記第一の分割ブレードの両側に配置された複数の突起部（１６，１６’）と、前記第２の分割ブレード（１４，２４）の両側に配置された複数の突起部（１６，１６’，２２）とを含むことを特徴とする請求項１に記載のブロック分割器。
【請求項３】
前記突起部（１６，１６’，２２）は、丸い形状を有することを特徴とする請求項１または請求項２に記載のブロック分割器。
【請求項４】
前記突起部（１６，１６’，２２）は約1.27cm（約0.5インチ）から約3.18cm（約1.25インチ）の直径を有することを特徴とする請求項１ないし請求項３のいずれか１項に記載のブロック分割器。
【請求項５】
前記突起部は板状部材（１６’’）を含むことを特徴とする請求項１に記載のブロック分割器。
【請求項６】
前記突起部（１６）はピラミッド形状をなすことを特徴とする請求項１に記載のブロック分割器。
【請求項７】
前記分割ブレード（１４，２４）のそれぞれの高さに対して、前記突起部の高さが約0.95cm（約3/8インチ）高く又は低く位置決めされていることを特徴とする請求項１ないし請求項６のいずれか１項に記載のブロック分割器。
【請求項８】
前記突起部（１６，１６’，２６）は、前記第一の分割装置および第二の分割装置（１２，２２）上の、それぞれ前記第一の分割ブレードおよび第二の分割ブレード（１４，２４）に対する位置が、前記分割ブレードが前記加工品に食い込んだ後続けて前記コンクリートを侵食するように、配置されていることを特徴とする請求項１ないし請求項７のいずれか１項に記載のブロック分割器。
【請求項９】
前記突起部の高さが調整可能であることを特徴とする請求項８に記載のブロック分割器。
【請求項１０】
前記第１の分割装置および第２の分割装置（１２，２２）は、それぞれ、ひとつ以上の液圧駆動シリンダにより作動するよう構成されていることを特徴とする請求項１に記載のブロック分割器。
【請求項１１】
前記加工品（４０）は、略水平な上面および下面と、略垂直な対向する第１の側面および第２の側面とを有し、前記第１の分割装置は、前記加工品の前記上面または下面のうちの一方の面に食い込み、前記第２の分割装置は、前記加工品の他方の面に食い込み、前記ブロック分割器は、前記加工品の前記第１の側面に食い込むよう構成された第１の駆動可能な側面刃形装置と前記加工品の前記第２の側面に食い込むよう構成された対向する第２の駆動可能な側面刃形装置とをさらに備え、前記第１の側面刃形装置および第２の側面刃形装置は、それぞれ、前記側面刃形装置の駆動中に前記加工品に食い込む一つ以上の突起部を含むことを特徴とする請求項１に記載のブロック分割器。
【請求項１２】
コンクリートの加工品（４０）から少なくとも一つのコンクリートブロックを作成するためにブロック分割器に用いられる分割ブレード装置であって、対向する第１の分割ブレード装置および第２の分割ブレード装置の駆動中に前記加工品（４０）を少なくとも２片に分割するための第１の分割ブレード（１４）を含む分割ブレード装置において、
前記分割ブレード装置上の、前記分割ブレード（１４）の少なくとも一方の側に隣接した位置に配置されて、前記分割ブレード装置の動作中に、前記コンクリートの前記分割ブレードに隣接した部分を侵食する複数の突起部（１６，１６’）を有することを特徴とする分割ブレード装置。
【請求項１３】
前記複数の突起部（１６，１６’，２２）は、前記分割ブレード（１４）の両側に配置された突起部を含むことを特徴とする請求項１２に記載の分割ブレード装置。
【請求項１４】
前記突起部（１６，１６’，２２）は、丸い形状を有することを特徴とする請求項１２に記載の分割ブレード装置。
【請求項１５】
前記突起部（１６，１６’，２２）は、約1.27cm（約0.5インチ）から約3.18cm（約1.25インチ）の直径を有することを特徴とする請求項１４に記載の分割ブレード装置。
【請求項１６】
前記突起部（１６）はピラミッド形状をなすことを特徴とする請求項１２に記載の分割ブレード装置。
【請求項１７】
前記分割ブレード（１４，２４）の高さに対して、前記突起部の高さが約0.95cm（約3/8インチ）高く又は低く位置決めされていることを特徴とする請求項１２に記載の分割ブレード装置。
【請求項１８】
前記分割ブレード（１４）の一方の側にある各突起部は、前記分割ブレードのもう一方の側にある突起部と揃えて配置されていることを特徴とする請求項１３に記載の分割ブレード装置。
【請求項１９】
前記分割ブレード（１４）の一方の側にある各突起部は、前記分割ブレードのもう一方の側にある突起部に対してずらして配置されていることを特徴とする請求項１３に記載の分割ブレード装置。
【請求項２０】
前記突起部の高さが調整可能であることを特徴とする請求項１７に記載の分割ブレード装置。
【請求項２１】
分割動作中に少なくとも一つの不規則な分割稜部および分割面を有するコンクリートブロックを製造する方法であって、
駆動可能な第一の分割装置（１２）の駆動中にコンクリートの加工品（４０）に食い込んでそれを少なくとも２片に分割するよう配置された第一の分割ブレード（１４）を有する第一の分割装置を含むとともに、前記第一の分割ブレード（１４）の少なくとも一方の側に隣接した位置に前記第一の分割装置の動作中に前記コンクリートの前記第一の分割ブレードに隣接した部分を侵食するように配置された複数の突起部（１６，１６’）を有するブロック分割器（１０）を用意し、
前記第一の分割装置（１２）に対向して配置された駆動可能な第二の分割装置（２２）の駆動中に前記加工品（４０）に食い込んでそれを分割するよう配置された第二の分割ブレード（２４）を有する第二の分割装置を含むとともに、前記第二の分割ブレード（２４）の前記第一の分割装置上の突起部と同じ側に隣接した位置に前記第二の分割装置の動作中に前記コンクリートの前記第二の分割ブレードに隣接した部分を侵食するように配置された複数の突起部（２６）を有する第二のブロック分割器を用意し、
前記ブロック分割器の中に、コンクリートの加工品（４０）を、前記第一の分割装置および前記第二の分割装置が駆動されたときに前記加工品に食い込むことができるように、配置し、
前記第一の分割装置および第二の分割装置を、前記分割ブレードが前記コンクリートの加工品を少なくとも２片に分割するとともに前記突起部が前記コンクリートの部分を侵食するように、駆動する
ことを特徴とする方法。
【請求項２２】
前記第一の分割装置および第二の分割装置は、前記第一の分割ブレードおよび第二の分割ブレードそれぞれの両側に隣接して配置された複数の突起部を備えることを特徴とする請求項２１に記載の方法。
【請求項２３】
前記第一の分割ブレードおよび第二の分割ブレードが前記加工品に食い込んだ後続けて、前記突起部が前記コンクリートを侵食することを特徴とする請求項２１に記載の方法。
【請求項２４】
前記突起部および各分割ブレードの相対的な高さを調節すること
を含む請求項２１に記載の方法。